(57)【要約】【課題】スラブの搬送ラインの構造が簡単で、また幅プレスの幅圧下量の変更に容易に対応できる幅プレスの搬送装置を提供しようとする。【解決手段】幅プレス後のスラブ厚みの増加量のの平均値がΔＴｍｅａｎである幅プレスラインにおいて、幅プレス装置の入側の下部に設けられた入側下部搬送ローラと、前記入側下部搬送ローラにスラブを挟んで所定力で上方から押し付ける入側上部押し付けローラと、幅プレス装置の出側の下部に設けられ高さを調整可能な出側下部搬送ローラと、前記出側下部搬送ローラにスラブを挟んで所定力で上方から押し付ける出側上部押し付けローラと、を備え、入側下部搬送ローラの上面の高さが後方スラブ搬送装置の搬送面よりΔＴｍｅａｎ／２を越えているものとした。【選択図】　　図１
2004050245.tif 000002
【特許請求の範囲】
【請求項１】
幅圧下プレス後のスラブ厚みの増加量の平均値がΔＴｍｅａｎである幅圧下プレスラインにおいてスラブを幅圧下プレス装置からライン後方の出側搬送装置へ送るための幅圧下プレス装置用搬送装置であって、
幅圧下プレス装置の入側に入側搬送装置を設け、
前記入側搬送装置最下流側の１組または２組の入側下部搬送ローラの高さは平均値がΔＴｍｅａｎ／２以内で上流側高さより低い高さに配置し、前記１組または２組の入側下部搬送ローラには、スラブを挟んで所定押し付け力で上方から押し付ける入側上部押し付けローラを設け、
幅圧下プレス装置出側に出側搬送装置を設け、
前記出側搬送装置最上流側の１組または２組の出側下部搬送ローラは平均値がΔＴｍｅａｎ／２以内で高さを調整可能に取り付け、前記１組または２組の出側下部搬送ローラには、スラブを挟んで所定押し付け力で上方から押し付ける出側上部押し付けローラを設け、
スラブを押圧可能とした入・出側搬送ローラを除く出側搬送装置の搬送高さは下流パス高さと略一致させ、入側下部搬送ローラの搬送高さを出側搬送装置の搬送高さより略ΔＴｍｅａｎ／２高くしたことを特徴とする幅圧下プレス装置用搬送装置。
【発明の詳細な説明】
【０００１】
【発明の属する技術分野】
本発明は、スラブを幅圧下プレス装置へ送り、幅圧下プレス装置を出たスラブを後工程へ送るための幅圧下プレス装置用搬送装置に係る。特にスラブのレベル支持構造に特徴の有る幅圧下プレス装置用搬送装置に関する。
【０００２】
【従来の技術】
幅圧下プレス装置では、搬送ローラに乗せてスラブを幅圧下プレス装置に供給し、出てきたスラブを搬送ローラに乗せて後工程へ送る。出てきたスラブは後工程（例えば、水平圧延工程）へ送るために、スラブの下面を圧延ラインの基準レベル（以下、パスラインという。）へ一致させなければならない。
幅圧下プレスに入ったスラブは、幅方向の寸法が狭くなり、厚みが増す。出側のスラブの厚さは、入側のスラブの厚さより所定寸法ΔＴだけ大きい。
【０００３】
従来の幅圧下プレス装置の搬送装置では、スラブをローラに乗せて搬送する際に、スラブの厚みの増加量ΔＴに応じて、幅圧下プレスの前後のスラブ搬送装置の搬送ラインの高さを変えていた。したがって、幅圧下プレスの幅圧下量が変化するたびに、搬送装置の高さを調整する必要が有った。
一般に、出側の搬送ラインはパスラインに一致させる必要が有るので、出側の搬送ラインのローラ上面をパスラインに一致させ、入側の搬送ラインのローラ上面の高さをパスラインよりもΔＴ／２だけ高くすることが行わる。そのために、幅圧下プレス用搬送装置は、入側の所定の長さ（例えば、長さ１０ｍの長さがある）の搬送ラインを昇降調整する昇降機構を備えている。
【０００４】
特開昭６１−２１６８０２号では、「搬送中の熱間スラブをプレスにより連続的に幅圧下するに際し、該プレスの幅圧下により生じる厚み増分の量を幅圧下量から推定又は実測し、該プレスのスラブ出側における搬送ローラーのレベルを、スラブ入側の搬送ローラーのレベルに対し、上記推定又は実測した厚み増分の量に応じて下げ、上記搬送ローラにおける熱間スラブの厚み増分による押上を防ぐことを特徴とする熱間スラブの幅圧下方法」が開示されている。
【０００５】
【発明が解決しようとする課題】
上述の幅圧下プレスの搬送装置または方法の場合、いずれを採用しても、長尺の搬送ラインを昇降させる搬送ライン昇降装置が必要である。また、幅圧下プレスの幅圧下量が変わる度に、長い搬送装置の高さ調整が必要であった。
したがって、搬送ラインの設備コストが上がり、また搬送ラインの保守に多くの作業を必要とした。
【０００６】
本発明は以上に述べた問題点に鑑み案出されたもので、従来の幅圧下プレスの搬送装置にかわって、スラブの搬送ラインの構造が簡単で、また幅圧下プレスの幅圧下量の変更に容易に対応できる幅圧下プレスの搬送装置を提供しようとする。
【０００７】
【課題を解決するための手段】
上記目的を達成するため、本発明に係る幅圧下プレス装置用搬送装置は、幅圧下プレス後のスラブ厚みの増加量の平均値がΔＴｍｅａｎである幅圧下プレスラインにおいてスラブを幅圧下プレス装置からライン後方の出側搬送装置へ送るための幅圧下プレス装置用搬送装置であって、
幅圧下プレス装置の入側に入側搬送装置を設け、
前記入側搬送装置最下流側の１組または２組の入側下部搬送ローラの高さは平均値がΔＴｍｅａｎ／２以内で上流側高さより低い高さに配置し、前記１組または２組の入側下部搬送ローラには、スラブを挟んで所定押し付け力で上方から押し付ける入側上部押し付けローラを設け、
幅圧下プレス装置出側に出側搬送装置を設け、
前記出側搬送装置最上流側の１組または２組の出側下部搬送ローラは平均値がΔＴｍｅａｎ／２以内で高さを調整可能に取り付け、前記１組または２組の出側下部搬送ローラには、スラブを挟んで所定押し付け力で上方から押し付ける出側上部押し付けローラを設け、
スラブを押圧可能とした入・出側搬送ローラを除く出側搬送装置の搬送高さは下流パス高さと略一致させ、入側下部搬送ローラの搬送高さを出側搬送装置の搬送高さより略ΔＴｍｅａｎ／２高くしたものとした。
【０００８】
上記本発明の構成により、入側下部搬送ローラが入側のスラブを支え、入側上部押し付けローラがスラブを所定力で上方から押し付けて入側のスラブが浮くのを防止し、高さを調整可能な出側下部搬送ローラが出側のスラブを支え、出側上部押し付けローラがスラブを上方から押し付けて出側のスラブが浮くのを防止し、入側下部搬送ローラの上面の高さが後方のスラブ搬送装置の搬送面より略ΔＴｍｅａｎ／２を越えているので、出側のスラブの下面と出側搬送装置の搬送面との間に隙間ができ、出側下部搬送ローラが厚みを増したスラブの下面を無理なく支え、出側下部搬送ローラから移動したスラブは自重によって撓んで後方のスラブ搬送装置用搬送面に乗ることができる。
【０００９】
【発明の実施の形態】
以下、本発明の好ましい実施形態を、図面を参照して説明する。
【００１０】
本発明の実施形態に係る幅圧下プレス装置用搬送装置の構造を説明する。図１は、本発明の実施形態の概念図である。
【００１１】
幅圧下プレスラインは、入側搬送装置１０と幅圧下プレス装置１２と幅圧下プレス装置用搬送装置と出側搬送装置１１とで構成される。出側搬送装置の後流には例えば水平圧延工程（図示せず）がある。
入側搬送装置１０は、スラブ１を幅圧下プレス装置用搬送装置へ搬送する装置であり、搬送ローラが共通架台のスラブ送り方向に所定間隔で並べられる。
幅圧下プレス装置１２は、スラブ１を幅方向に圧下して幅寸法を所定の値にする装置である。
出側搬送装置１１は、幅圧下の行われたスラブを幅圧下プレス装置用搬送装置から受け取って後工程へ送る装置であり、搬送ローラが共通架台のスラブ送り方向に所定間隔で並べられる。出側搬送装置１１の搬送ローラの上面はパスラインと一致している。
【００１２】
幅圧下プレス装置用搬送装置は、スラブ１を入側搬送装置１０から受け取り幅圧下プレス装置１２へ送り、幅圧下プレス装置１２から出たスラブ１をライン後方の出側搬送装置１１へ送るための装置である。
【００１３】
幅圧下プレス装置用搬送装置は、入側下部搬送ローラ２と入側上部押し付けローラ３と出側下部搬送ローラ４と出側上部押し付けローラ５とを備える。
入側下部搬送ローラ２は、幅圧下プレス装置の入側の下部に設けられ、幅圧下プレス装置へ送られるスラブ１を下から支持する。好ましくは、入側下部搬送ローラ２は入側搬送装置１０の最後尾の搬送ローラを兼用するのが好ましい。
幅圧下ラインでは、各種の幅圧下量が採用され、幅圧下量が異なるとスラブ厚みの増加量が異なってくる。幅圧下プレス後のスラブ厚みの増加量の平均値がΔＴｍｅａｎである場合に、入側下部搬送ローラの上面の高さは出側搬送装置の搬送面よりΔＴｍｅａｎ／２を越えるように設置される。入側下部搬送ローラ２の高さ方向は固定であって良く、昇降装置等の機構が不要である。好ましくは、出願人の経験則よりΔＴｍｅａｎ／２は、プレッシング条件より１５〜４５ｍｍとして各搬送高さを決定すると良い。
【００１４】
入側上部押し付けローラ３は、入側下部搬送ローラ２にスラブを挟んで所定力で上方から押し付ける装置であり、油圧シリンダ８によって下方に所定の荷重で付勢されている。幅圧下プレス装置へ入るスラブは、入側上部押し付けローラ３と入側下部搬送ローラ２とで挟まれて上下の変形を拘束されるので、幅圧下によってスラブが上下に変形することを防止する。
【００１５】
出側下部搬送ローラ４は、幅圧下プレスのスラブ出側の下部に設けられ高さを調整可能な搬送ローラであり、電動機７により駆動される昇降装置６によって、搬送ローラ上面の高さを調整される。運用時には、スラブを幅圧下したときの厚みの増分（ΔＴ＝ＴーＴ０）を予想し、または試運転により計測する。昇降機構６により搬送ローラの上面を入側下部搬送ローラ２の搬送ローラ上面よりもΔＴ／２だけ下げた位置にする。
【００１６】
出側上部押し付けローラ５は、出側下部搬送ローラ４にスラブを挟んで所定力で上方から押し付ける装置であり、油圧シリンダ９によって下方に所定の荷重で付勢されている。幅圧下プレス装置から出たスラブは、出側上部押し付けローラ５と出側下部搬送ローラ４とで挟まれて上下の変形を拘束されるので、幅圧下によってスラブが上下に変形することを防止する。
【００１７】
以下に、本発明の実施形態に係る幅圧下プレス装置用搬送装置の作用を説明する。　スラブ１は、入側搬送装置１０の搬送ローラ上面に乗り、幅圧下プレス装置用搬送装置の入側まで搬送される。厚さＴ０のスラブは、入側上部押し付けローラ３と入側下部搬送ローラ２とで挟まれて上下の変形を拘束されつつ、幅圧下プレス装置に入る。スラブは、幅圧下プレス装置１２により幅圧下されて幅寸法が所定の寸法になり、厚さがＴになる。
幅圧下プレス装置１２の出側に出たスラブは、出側上部押し付けローラ５と出側下部搬送ローラ４とで挟まれる。出側下部搬送ローラ４の搬送ローラ上面はスラブの厚みの増分を考慮した高さになっているので、スラブは、上下への変形を起こさずに水平に引き出される。
出側搬送装置の搬送ローラ上面は、入側下部搬送ローラ２よりもΔＴｍａｘ／２を越えて低いので、スラブの下面と出側搬送装置の搬送ローラ上面には隙間１４が生ずる。
スラブがさらに後方へ送られると、自重で垂れ下がり、出側搬送装置の搬送ローラ上面に乗る。その後、スラブは後工程へ運ばれる。このとき、スラブの下面はパスラインに一致しているので、後工程での取り扱いが容易になる。
【００１８】
上述の実施形態の幅圧下プレス装置用搬送装置を用いれば、スラブに無用な荷重を作用させることなく、スラブを幅圧下プレス装置からライン後方の出側搬送装置へ送ることができる。
また、幅圧下プレスの幅圧下量を変えた場合は、出側下部搬送ローラの高さを調整するだけで、幅圧下プレスラインの前段取り作業が終了する。
【００１９】
本発明は以上に述べた実施形態に限られるものではなく、発明の要旨を逸脱しない範囲で各種の変更が可能である。
入側下部搬送ローラを入側搬送装置の一部として説明したがこれに限定されず、別体としても良い。
【００２０】
【発明の効果】
以上説明したように本発明の幅圧下プレス後のスラブ厚みの増加量の平均値がΔＴｍｅａｎである幅圧下プレスラインにおいてスラブを幅圧下プレス装置からライン後方の出側搬送装置へ送るための幅圧下プレス装置の搬送装置は、その構成により、以下の効果を有する。
入側下部搬送ローラが入側のスラブを支え、入側上部押し付けローラがスラブを所定力で上方から押し付けて入側のスラブが浮くのを防止し、高さを調整可能な出側下部搬送ローラが出側のスラブを支え、出側上部押し付けローラがスラブを上方から押し付けて出側のスラブが浮くのを防止し、入側下部搬送ローラの上面の高さが後方のスラブ搬送装置の搬送面よりΔＴｍｅａｎ／２を越えているので、出側のスラブの下面と出側搬送装置の搬送面との間に隙間ができ、出側下部搬送ローラが厚みを増したスラブの下面を無理なく支え、出側下部搬送ローラから移動したスラブは自重によって撓んで出側搬送装置の搬送面に乗ることができる。従って、スラブの搬送ラインの構造が簡単で、また幅圧下プレスの幅圧下量の変更に容易に対応できる幅圧下プレスの搬送装置を提供できる。
【図面の簡単な説明】
【図１】本発明の実施形態の概念図である。
【符号の説明】
１　　スラブ
２　　入側下部搬送ローラ
３　　入側上部搬送ローラ
４　　出側下部搬送ローラ
５　　出側上部搬送ローラ
６　　昇降機構
７　　電動機
８　　油圧シリンダ
９　　油圧シリンダ
１０　　入側搬送装置
１１　　出側搬送装置
１２　　幅圧下プレス装置
１３　　パスライン
１４　　隙間
【図１】
2004050245.tif 000003